(57)【要約】【課題】１画面中に外部情報処理装置が操作による画像処理に対応している領域と対応していない領域が混在している画面で、外部情報処理装置が画像処理に対応している領域と対応していない領域の違いを利用者に意識させず、情報表示装置と外部情報処理装置に対して同一の入力操作によって画像処理を実現することができる情報表示装置を提供すること。【解決手段】情報表示装置１００は、利用者の入力操作を受け付けて操作情報を出力する操作入力部１０８と、情報処理装置２００が送信する画像信号を第１の画像データに変換する画像データ生成部１０２と、操作情報に基づいて、画像処理命令を生成する画像処理命令生成部１０９と、画像処理命令に基づいて、第１の画像データに対して画像処理を実行して第２の画像データを生成する画像処理部１０５と、第２の画像データを表示する画像表示部１０７と、を備える。【選択図】図１
2013161207.tif 000002
【特許請求の範囲】
【請求項１】
外部情報処理装置に接続され、
利用者の入力操作を受け付けて、入力座標を含む操作情報を出力する操作入力部と、
前記操作情報を前記外部情報処理装置に送信する操作情報送信部と、
前記外部情報処理装置が送信する画像信号を受信する画像信号受信部と、
前記画像信号を第１の画像データに変換する画像データ生成部と、
前記操作情報に基づいて、画像処理命令を生成して出力する画像処理命令生成部と、
前記画像処理命令に基づいて、前記第１の画像データに対して画像処理を実行して第２の画像データを生成する画像処理部と、
前記第２の画像データを表示する画像表示部と、を備え、
前記画像処理命令生成部は、前記操作情報と、前記第１の画像データの時間軸方向の変化量とに基づいて、前記画像処理命令を出力するか否かを判定する、情報表示装置。
【請求項２】
前記画像処理命令生成部は、前記画像処理命令を前記画像処理部に出力した場合に、グラフィックを描画する画像処理命令を前記画像処理部に出力し、
前記画像処理部は、前記画像処理命令に基づいて、前記第２の画像データに前記グラフィックを描画する画像処理を実行する、請求項１記載の情報表示装置。
【請求項３】
前記画像処理命令生成部は、利用者の入力操作を受信してから前記第１の画像データの時間軸方向の変化量が所定の閾値以上になるまでの反応時間を計測し、利用者の入力操作を受信してから画像処理命令を出力するまでの時間間隔を、前記反応時間に基づいて設定する、請求項１記載の情報表示装置。
【請求項４】
前記画像処理命令生成部は、前記入力座標の周辺の画素値を用いて複数の前記第１の画像データの時間軸方向の変化量を算出する、請求項１記載の情報表示装置。
【請求項５】
前記操作入力部が出力した操作情報を変換して操作情報送信部に出力する操作情報変換部をさらに備え、
前記画像処理命令生成部は、生成した画像処理命令に基づいて、前記第１の画像データに対する第２の画像データの画像の原点座標の相対値と画像の拡大・縮小率を算出して前記操作情報変換部に出力し、
前記操作情報変換部は、前記操作情報に含まれる入力座標を前記相対値と前記拡大・縮小率に基づいて変換する、請求項１記載の情報表示装置。
【発明の詳細な説明】
【技術分野】
【０００１】
本発明は、外部情報処理装置が出力した画像を表示する情報表示装置に関する。
【背景技術】
【０００２】
特許文献１には、外部情報処理装置が出力した画像を表示する車載ディスプレイ装置を備える車載情報通信システムが記載されている。特許文献１記載の装置は、キー及びタッチパネル等の入力装置を備え、利用者が情報表示装置のディスプレイで地図画像を見ながら目的地等のデータを入力し、入力されたデータを外部情報処理装置に送信する。これにより、外部情報処理装置が備える入力装置を直接操作しなくても外部情報処理装置へのデータ入力を行うことができる。
【０００３】
外部情報処理装置が地図の縮尺変更や、写真画像の拡大縮小等の画像処理に対応している場合には、利用者が情報表示装置の入力装置で入力操作を行った際の操作情報、例えばタッチパネルのタッチ座標を外部情報処理装置に送信することによって、縮尺変更や拡大縮小等の操作を情報表示装置で行うことができる。例えば、携帯端末などの小画面を車載ディスプレイの大画面に高解像度で表示し、タッチパネル又はキー操作部で目的地設定などのデータ入力が可能になる。また、Smart Link対応の携帯端末と車載器の場合、車載器のタッチパネルでユーザが地図又は画像の拡大縮小操作を行った際、車載器から携帯端末に操作信号が送信され、携帯端末が拡大縮小処理を行う。
【先行技術文献】
【特許文献】
【０００４】
【特許文献１】特開２００７−１９５１４４号公報
【発明の概要】
【発明が解決しようとする課題】
【０００５】
しかしながら、特許文献１記載の車載情報通信システムにあっては、以下の課題があった。
【０００６】
外部情報処理装置が出力した画面に、外部情報処理装置が操作による画像処理に対応している領域と対応していない領域が混在している場合がある。その場合、外部情報処理装置が例えば画像の拡大処理に対応している領域で拡大の操作をした場合は画像が拡大表示されるものの、それ以外の領域で拡大の操作をした場合は画像は拡大されない。したがって、外部情報処理装置が画像の拡大処理に対応していない領域を拡大表示させるためには、情報表示装置に対して画像の拡大処理を行う指示を行う必要がある。
【０００７】
ところが、もし情報表示装置に対する画像の拡大処理指示の操作が、外部情報処理装置に対する操作と同一であった場合、外部情報処理装置が拡大処理に対応している領域で拡大操作を行うと、情報表示装置と外部情報処理装置が同時に拡大処理を行ってしまうという課題があった。
【０００８】
またこの動作を回避するためには、情報表示装置と外部情報処理装置に対して異なる操作を行う必要がある。この場合、利用者が外部情報処理装置が拡大処理に対応している領域と対応していない領域を把握していなければならないという課題があった。
【０００９】
本発明の目的は、１画面中に外部情報処理装置が操作による画像処理に対応している領域と対応していない領域が混在している画面で、外部情報処理装置が画像処理に対応している領域と対応していない領域の違いを利用者に意識させず、情報表示装置と外部情報処理装置に対して同一の入力操作によって画像処理を実現することができる情報表示装置を提供することである。
【課題を解決するための手段】
【００１０】
本発明の情報表示装置は、外部情報処理装置に接続され、利用者の入力操作を受け付けて、入力座標を含む操作情報を出力する操作入力部と、前記操作情報を前記外部情報処理装置に送信する操作情報送信部と、前記外部情報処理装置が送信する画像信号を受信する画像信号受信部と、前記画像信号を第１の画像データに変換する画像データ生成部と、前記操作情報に基づいて、画像処理命令を生成して出力する画像処理命令生成部と、前記画像処理命令に基づいて、前記第１の画像データに対して画像処理を実行して第２の画像データを生成する画像処理部と、前記第２の画像データを表示する画像表示部と、を備え、前記画像処理命令生成部は、前記操作情報と、前記第１の画像データの時間軸方向の変化量とに基づいて、前記画像処理命令を出力するか否かを判定する構成を採る。
【発明の効果】
【００１１】
本発明によれば、１画面中に外部情報処理装置が画像処理に対応している領域と対応していない領域が混在している画面で利用者が画像の拡大・縮小等の操作を行う場合、外部情報処理装置が画像処理に対応している領域と対応していない領域の違いを利用者に意識させず、外部情報処理装置と同一の入力操作で画像処理を実施する情報表示装置を提供することができる。
【００１２】
本発明の目的は、１画面中に外部情報処理装置が操作による画像処理に対応している領域と対応していない領域が混在している画面で、外部情報処理装置が画像処理に対応している領域と対応していない領域の違いを利用者に意識させず、情報表示装置と外部情報処理装置に対して同一の入力操作によって画像処理を実現することができる情報表示装置を提供することである。
【図面の簡単な説明】
【００１３】
【図１】本発明の実施の形態に係る情報表示装置及び情報処理装置の構成を示すブロック図
【図２】上記実施の形態に係る情報表示装置の画像表示部に表示されている画像の一例を示す図
【図３】上記実施の形態に係る情報表示装置が利用者の操作に基づいて画面の拡大・縮小、スクロールの処理を行う場合の画像処理命令生成部の動作を示すフロー図
【図４】上記実施の形態に係る情報表示装置の地図領域内でピンチアウト操作が行われた後、情報表示装置の画像表示部に表示される画像の一例を示す図
【図５】上記実施の形態に係る情報表示装置の画像処理部が画面の拡大処理を行った後に、情報表示装置の画像表示部に表示される画像の一例を示す図
【図６】上記実施の形態に係る情報表示装置の操作情報変換部が行うタッチパネルのタッチ位置の座標変換を説明する図
【図７】上記実施の形態に係る情報表示装置の利用者がタッチパネルで選択できるボタンがある画面の一例を示す図
【図８】上記実施の形態に係る情報表示装置の画像処理部が描画する画像処理内容を示すグラフィック画像の一例を示す図
【発明を実施するための形態】
【００１４】
以下、本発明の実施の形態について、図面を参照して詳細に説明する。
【００１５】
（実施の形態）
図１は、本発明の実施の形態に係る情報表示装置及び情報処理装置の構成を示すブロック図である。
【００１６】
図１に示すように、情報表示装置１００は、例えばスマートフォンなどの情報処理装置２００が出力した画像を表示する車載ディスプレイ装置である。
【００１７】
情報表示装置１００は、画像信号受信部１０１、画像データ生成部１０２、受信画像記憶部１０３、比較画像保存部１０４、画像処理部１０５、画像表示処理部１０６、画像表示部１０７、操作入力部１０８、画像処理命令生成部１０９、操作情報変換部１１０、及び操作情報送信部１１１を備える。
【００１８】
画像信号受信部１０１は、情報処理装置２００が送信した画像信号を受信する。
【００１９】
画像データ生成部１０２は、画像信号受信部１０１が受信した画像信号を画像データに変換し、受信画像記憶部１０３に書き込む。
【００２０】
受信画像記憶部１０３は、画像データを一時的に記憶するメモリである。
【００２１】
比較画像保存部１０４は、受信画像記憶部１０３に記憶されている画像データを保存する。
【００２２】
画像処理部１０５は、受信画像記憶部１０３に記憶されている画像データに対して、画像の拡大、縮小等の画像処理を行う。
【００２３】
画像表示処理部１０６は、ＶＲＡＭ（Video Random Access Memory）を内蔵したグラフィックコントローラであり、画像処理部１０５が出力した画像データをＲＧＢ信号等の映像信号に変換する。
【００２４】
画像表示部１０７は、画像表示処理部１０６が出力した映像信号に基づいて画像を表示するディスプレイである。
【００２５】
操作入力部１０８は、画像表示部１０７のディスプレイ面に設置され、マルチタッチに対応した静電式タッチパネルであり、タッチの有無とタッチされた入力座標値を含む操作情報を出力する。操作入力部１０８は、タッチパネルの他、ハードウェアボタンやマウス等のポインティングデバイスであってもよい。
【００２６】
画像処理命令生成部１０９は、マイクロコンピュータで動作するタスクとして実現され、受信画像記憶部１０３に記憶されている画像データを読み出して比較画像保存部１０４に書き込み、受信画像記憶部１０３に記憶されている画像データと比較画像保存部１０４に保存されている画像データの変化量を算出する。また、画像処理命令生成部１０９は、操作入力部１０８が出力した操作情報から、例えば画像の拡大等を行うピンチアウト、画像の縮小等を行うピンチイン、画像をスクロールするドラッグやフリック、回転等の利用者が行った操作の種別を判定する。そして、画像処理命令生成部１０９は、画像データの変化量と操作の種別、操作情報に基づいて画像処理命令を生成し、画像処理部１０５に出力する。また、画像処理命令生成部１０９は、画像処理部１０５が行う画像処理前後の画像の原点座標の相対値と画像の拡大縮小率を算出し、操作情報変換部１１０に出力する。
【００２７】
画像処理命令生成部１０９は、操作情報と、第１の画像データの時間軸方向の変化量とに基づき、画像処理命令を出力するか否かを判定する。ここで、上記時間軸方向の変化量とは、比較画像保存部１０４に保存されている画像が、受信画像記憶部１０３に記憶されている画像より時間的に前であるということをいう。
【００２８】
例えば、画像処理命令生成部１０９は、操作入力部１０８からピンチアウトやドラッグ等の操作情報を受信すると、情報処理装置２００が出力した画像データの時間軸方向の変化量と操作情報とに基づいて、画像処理命令を生成するか否かの判定及び、拡大やスクロール等の画像処理命令を生成して出力する。画像処理命令生成部１０９は、情報処理装置２００が、出力した画像データの変化量が小さい場合は命令を出力し、変化量が大きい場合は命令を出力しない。
【００２９】
操作情報変換部１１０は、マイクロコンピュータで動作するタスクとして実現され、操作入力部１０８が出力した操作情報の中の入力座標値を、画像処理命令生成部１０９が出力する画像の原点座標の相対値と画像の拡大縮小率に基づいて変換する。
【００３０】
操作情報送信部１１１は、操作情報変換部１１０が変換した操作情報を情報表示装置１００に送信する。
【００３１】
情報処理装置２００は、操作情報受信部２０１、操作入力部２０２、演算部２０３、画像記憶部２０４、画像表示処理部２０５、画像表示部２０６、及び画像信号送信部２０７を備える。
【００３２】
操作情報受信部２０１は、操作情報送信部１１１が送信した操作情報を受信する。
【００３３】
操作入力部２０２は、画像表示部２０６のディスプレイ面に設置され、マルチタッチに対応した静電式タッチパネルであり、タッチの有無とタッチされた入力座標値を含む操作情報を出力する。
【００３４】
演算部２０３は、メモリを内蔵するマイクロコンピュータで動作するタスクとして実現され、メモリに記憶されているプログラムとデータ、及び操作情報に基づき、画像データを生成する。
【００３５】
画像記憶部２０４は、画像データを一時的に記憶するフレームバッファである。
【００３６】
画像表示処理部２０５は、画像記憶部２０４に記憶されている画像データを読み出して、ＲＧＢ信号等の映像信号に変換する。
【００３７】
画像表示部２０６は、画像表示処理部２０５が出力した映像信号に基づいて画像を表示するディスプレイである。
【００３８】
画像信号送信部２０７は、画像記憶部２０４に記憶されている画像データを読み出して画像信号に変換し、情報表示装置１００に送信する。
【００３９】
情報表示装置１００の操作情報送信部１１１と情報処理装置２００の操作情報受信部２０１は、ＵＳＢ（Universal Serial Bus）ケーブルによって接続され、ＵＳＢ規格に準じた信号を送受信する。なお、ＵＳＢは一例であり、Ｅｔｈｅｒｎｅｔ（登録商標）等であってもよく、Ｂｌｕｅｔｏｏｔｈ（登録商標）等の無線で通信してもよい。また、画像信号送信部２０７と画像信号受信部１０１は、ＨＤＭＩ（High-Definition Multimedia Interface）ケーブルによって接続され、ＨＤＭＩ規格に準じた信号を送受信する。なお、ＨＤＭＩは一例であり、ＤＶＩ（Digital Visual Interface）やＵＳＢ等であってもよく、ＶＧＡ（Video Graphics Array）等のアナログ信号を送受信してもよい。また、操作情報と画像信号を同一の通信手段で送受信してもよい。
【００４０】
以下、上述のように構成された情報表示装置の動作について説明する。
【００４１】
図２は、情報処理装置２００の画像表示部２０６及び情報表示装置１００の画像表示部１０７に表示されている画像の一例を示す図である。例えば、図２は、情報処理装置２００の画像表示部２０６に表示され、また情報表示装置１００が情報処理装置２００から受信した画像信号に基づき画像表示部１０７に表示している画像を示す。
【００４２】
図２において、画像の左側は地図領域、画像の右側はレーン案内領域である。
【００４３】
情報処理装置２００の操作入力部２０２上で、地図領域内においてピンチアウト操作が行われると情報処理装置２００は地図の縮尺を詳細化し、ピンチイン操作が行われると地図の縮尺を広域化し、ドラッグ操作が行われると地図のスクロールを行う。
【００４４】
また、情報処理装置２００の操作入力部２０２上で、レーン案内領域内においてピンチアウト操作、ピンチイン操作、ドラッグ操作が行われても、情報処理装置２００は画像を変化させないものとする。
【００４５】
図３は、情報表示装置１００が利用者の操作に基づいて画面の拡大・縮小、スクロールの処理を行う場合の、画像処理命令生成部１０９の動作を示すフローチャートである。図中、Ｓはフローの各ステップを示す。
【００４６】
なお、以後の説明ではピンチアウト操作、ピンチイン操作及びドラッグ操作を表示変更操作と記述し、画面の拡大処理、画面の縮小処理及び画面のスクロール処理を表示変更処理と記述する。
【００４７】
ステップＳ１では、画像処理命令生成部１０９は、操作入力部１０８が出力する操作情報に基づいて、利用者の操作の有無を判定する。
【００４８】
利用者の操作があったと判定した場合、ステップＳ２で画像処理命令生成部１０９は、操作情報に基づいて利用者の操作の種別を判別する。
【００４９】
次いで、ステップＳ３で画像処理命令生成部１０９は、操作種別が表示変更操作であるか否かを判定する。利用者の操作の種別が表示変更操作でない場合、ステップＳ１に戻る。
【００５０】
利用者の操作の種別が表示変更操作であった場合、ステップＳ４で画像処理命令生成部１０９は、受信画像記憶部１０３に記憶されている画像データを読み出して比較画像保存部１０４に書き込み、ステップＳ５で予め定めた時間ウェイトする。
【００５１】
ステップＳ６では、画像処理命令生成部１０９は、受信画像記憶部１０３に記憶されている画像データと比較画像保存部１０４に保存されている画像データの変化量を算出する。
【００５２】
ここでステップＳ５のウェイト時間をＴｍｓｅｃとすると、ステップＳ４で比較画像保存部１０４に書き込まれた画像データは、ステップＳ６で受信画像記憶部１０３から読み出された画像データよりもおよそＴｍｓｅｃ前の画像となる。したがって、ステップＳ６では、情報表示装置１００の画像データ生成部１０２が出力する画像データに対し、時間軸方向におよそＴｍｓｅｃ離れた２枚の画像データを比較して、その変化量を算出することになる。
【００５３】
画像データの変化量は、全画素値の差分の絶対値の総和とする。なお、２つの画像データの変化量は、上記の値の他、画像全体から算出される特徴量同士の変化量や、動きベクトル量等であってもよく、また画像をエッジ画像等に変換した後に変化量を算出してもよい。
【００５４】
ステップＳ７では、画像処理命令生成部１０９は、画像データの変化量が予め定めた閾値以上であるか否かを判定する。画像データの変化量が予め定めた閾値以上であれば、画像処理命令生成部１０９は、情報処理装置２００が画面の表示変更処理を行った結果、画像データが表示変更操作の前後で変化したと判断し、処理を終了する。
【００５５】
画像データの変化量が予め定めた閾値未満であれば、画像処理命令生成部１０９は、情報処理装置２００が画面の表示変更処理を行わなかったと判断し、情報表示装置１００側で表示変更処理を行う。すなわち、ステップＳ８で画像処理命令生成部１０９は、ステップＳ２で判別した操作種別と、操作情報に含まれるタッチの入力座標値とタッチの入力座標値の変化に基づいて表示変更処理を行う画像処理命令を生成し、画像処理部１０５に出力する。画像処理部１０５は、画像処理命令に従って受信画像記憶部１０３に記憶されている画像に画像処理を行って画像表示処理部に出力し、画像表示処理部１０６は、画像処理部１０５が画像処理を行った画像を画像信号に変換し、画像表示部１０７に表示する。
【００５６】
さらに、ステップＳ９で画像処理命令生成部１０９は、生成した画像処理命令に基づき、画像処理を行う前の画像である受信画像記憶部１０３に記憶されている画像データに対する、画像処理部１０５が画像処理を行った後の画像データの、画像の原点座標の相対値と画像の拡大縮小率を算出し、操作情報変換部１１０に出力する。
【００５７】
図４は、図２の地図領域内でピンチアウト操作が行われた後、情報表示装置１００の画像表示部１０７に表示される画像の一例を示す図である。
【００５８】
図４に示すように、図２の地図領域内でピンチアウト操作が行われた場合、地図画像が詳細化されたため、画像の変化量が生じる。この変化量が閾値以上であれば、情報表示装置１００は画面の拡大処理を行わない。
【００５９】
また、図２のレーン案内領域内でピンチアウト操作が行われた場合は、画像が変化しないため、画像の変化量は生じない。この場合は情報表示装置１００の画像処理部１０５が画面の拡大処理を行う。
【００６０】
図５は、情報表示装置１００の画像処理部１０５が画面の拡大処理を行った後に、情報表示装置１００の画像表示部１０７に表示される画像の一例を示す図である。
【００６１】
図５に示すように、情報表示装置１００の画像処理部１０５が画面に対し拡大・縮小、スクロールの画像処理を行った状態で、情報表示装置１００の操作入力部１０８で操作が行われた場合は、操作情報変換部１１０がタッチパネルのタッチ位置を、画像処理前後の画像の原点座標の相対値と画像の拡大縮小率に基づき、画像の内容として同じ位置となるよう変換し、出力する。
【００６２】
座標変換の様子を、図６を用いて説明する。
【００６３】
図６は、操作情報変換部１１０が行うタッチパネルのタッチ位置の座標変換を説明する図である。図６（ａ）は、その拡大後の画像、図６（ｂ）は、その拡大前の画像である。
【００６４】
情報表示装置１００の画像表示部１０７には、図６（ａ）の画像が表示されているものとする。このとき、情報表示装置１００において「交差点Ｂ」を囲む枠の左上をタッチされた場合、タッチされた入力座標を操作情報変換部１１０が変換すると、拡大前の画像である図６（ｂ）における「交差点Ｂ」を囲む枠の左上の座標となる。
【００６５】
また、利用者がタッチパネルで選択できるボタンがある画面で、利用者が操作した際の様子を、図７を用いて説明する。
【００６６】
図７は、利用者がタッチパネルで選択できるボタンがある画面の一例を示す図である。図７（ａ），（ｃ），（ｄ）は、拡大前の画像である。図７（ｂ）は、図７（ａ）の破線で囲まれた領域が拡大されて画像表示部１０７に表示された画像である。
【００６７】
図７（ｂ）に示すように、画像表示部１０７に表示されている状態で、利用者によりボタンＬが選択された場合に、情報表示装置１００がタッチされた入力座標を変換せずに情報処理装置２００に出力した場合、情報処理装置２００は、図７（ｃ）に示すようにボタンＫが選択されたと判断してしまう。一方、タッチされた入力座標を操作情報変換部１１０が変換すると、情報処理装置２００は、図７（ｄ）に示すように、利用者が意図したとおりボタンＬが選択されたと判断する。
【００６８】
このようにタッチされた入力座標を操作情報変換部１１０が変換することによって、情報表示装置１００が画像処理を行っているか否かに関わらず、情報処理装置２００は、利用者が意図した通りの動作を行うことができる。
【００６９】
以上詳細に説明したように、本実施の形態によれば、情報表示装置１００は、利用者の入力操作を受け付けて操作情報を出力する操作入力部１０８と、情報処理装置２００が送信する画像信号を第１の画像データに変換する画像データ生成部１０２と、操作情報に基づいて、画像処理命令を生成する画像処理命令生成部１０９と、画像処理命令に基づいて、第１の画像データに対して画像処理を実行して第２の画像データを生成する画像処理部１０５と、第２の画像データを表示する画像表示部１０７と、を備える。
【００７０】
画像処理命令生成部１０９は、操作入力部１０８からピンチアウトやドラッグ等の操作情報を受信すると、情報処理装置２００が出力した画像データの時間軸方向の変化量と操作情報とに基づいて、画像処理命令を生成するか否かの判定及び、拡大やスクロール等の画像処理命令を生成して出力する。画像処理命令生成部１０９は、情報処理装置２００が、出力した画像データの変化量が小さい場合は命令を出力し、変化量が大きい場合は命令を出力しない。
【００７１】
以上のように、１画面中に外部情報処理装置が画像処理に対応している領域と対応していない領域が混在している画面で利用者が画像の拡大・縮小等の操作を行う場合、外部情報処理装置が画像処理に対応している領域と対応していない領域の違いを利用者に意識させず、外部情報処理装置と同一の入力操作で画像処理を実施する情報表示装置を提供することができる。具体的には、情報表示装置１００、画面の拡大やスクロール等の操作に情報処理装置２００が対応している領域と対応していない領域が混在している画面内で、同一の操作で拡大やスクロール等ができるようになる。利用者は、情報処理装置２００が拡大・縮小を行うか、情報表示装置１００が行うかを意識することなく、同一の入力操作によって画像処理を実現することができる。
【００７２】
図８は、画像処理部１０５が描画する画像処理内容を示すグラフィック画像の一例を示す図である。
【００７３】
図８に示すように、利用者がレーン案内領域でピンチアウト操作を行った場合は、画像処理部１０５は外側に向けた２つの矢印を描画する。このとき、画像処理部１０５が描画したグラフィックの形状や動きが、ピンチアウト操作が行われた場合に情報処理装置２００が描画するグラフィックと異なるならば、利用者はグラフィック表示を見て情報表示装置１００が画像の拡大処理を行ったことを把握することができる。このように、画像処理部１０５が画像処理内容を示すグラフィック画像を描画することにより、情報表示装置１００と情報処理装置２００のどちらが画像処理を行ったのかが、利用者にとってよりわかりやすくなる。
【００７４】
また、画像処理命令生成部１０９の動作におけるステップＳ５で、２つの画像データの変化量を算出するまでに予め定めた時間ウェイトするようにしたが、情報処理装置２００が画面遷移やスクロール等の画像処理を行う操作が行われてから、２つの画像データの変化量が所定の閾値以上になるまでの時間を計測し、その計測値に基づいてウェイトする時間を定めるようにしてもよい。これにより、情報処理装置２００の画像処理や、情報処理装置２００から情報表示装置１００への画像信号転送等による遅延によって、情報表示装置１００における操作から表示画像の変化までの時間が想定以上にかかった場合でも、変化なしと誤判定する回数を軽減することができる。また必要以上のウェイト時間を設定して、情報表示装置１００における操作から画像処理までの遅延時間を増加させることを防ぐことができる。
【００７５】
また、画像処理命令生成部１０９の動作におけるステップＳ６で、２つの画像データの変化量を全画素値から算出するようにしたが、利用者が操作した入力座標の周辺部の画素値のみから算出するようにしてもよい。これにより、操作と無関係に変化している画素値の影響を軽減することができる。
【００７６】
また、車の運転者は、運転中は安全のために車載装置の画面を短時間しか注視することができないが、本発明の情報表示装置を車載装置として適用することにより、短時間では視認できないような小さい文字や図形を拡大表示することができるため、運転者が文字や図形を視認しやすくなるという効果がある。
【００７７】
以上の説明は本発明の好適な実施の形態の例証であり、本発明の範囲はこれに限定されることはない。
【００７８】
例えば、情報表示装置１００の画像処理部１０５が画面に対し拡大・縮小、スクロールの画像処理を行う場合、画像処理命令生成部１０９が画像処理部１０５に対し、画像処理内容を示すグラフィック画像を描画する命令を出力するようにしてもよい。
【００７９】
上記実施の形態では、情報表示装置及び情報処理装置という名称を用いたが、これは説明の便宜上であり、情報表示装置は車載ディスプレイ装置、情報処理装置は携帯情報端末等であってもよい。
【００８０】
さらに、上記情報表示装置を構成する移動局の各構成部、例えば操作入力部の種類などは前述した実施の形態に限られない。
【産業上の利用可能性】
【００８１】
本発明の情報表示装置は、カーナビゲーションやディスプレイ付きカーオーディオ等の情報表示システムとして有用である。
【符号の説明】
【００８２】
１００  情報表示装置
１０１  画像信号受信部
１０２  画像データ生成部
１０３  受信画像記憶部
１０４  比較画像保存部
１０５  画像処理部
１０６  画像表示処理部
１０７  画像表示部
１０８  操作入力部
１０９  画像処理命令生成部
１１０  操作情報変換部
１１１  操作情報送信部
２００  情報処理装置
２０１  操作情報受信部
２０２  操作入力部
２０３  演算部
２０４  画像記憶部
２０５  画像表示処理部
２０６  画像表示部
２０７  画像信号送信部
【図１】
2013161207.tif 000003
【図３】
2013161207.tif 000004
【図２】
2013161207.tif 000005
【図４】
2013161207.tif 000006
【図５】
2013161207.tif 000007
【図６】
2013161207.tif 000008
【図７】
2013161207.tif 000009
【図８】
2013161207.tif 000010